(57)【要約】【課題】木製フレームを用いた木製断熱パネルの断熱性能の向上を図る。【解決手段】木製断熱ドア１０の木製フレーム１２の内側は、縦桟１２Ｃと横桟１２Ｄにより複数の空間１４に仕切られている。該空間１４には、断熱ボード１６が組み込まれる。該断熱ボード１６は、前記木製フレーム１２よりも低い熱還流率（Ｕ値を）を有する。前記木製フレーム１２と断熱ボード１６の隙間には、前記木製フレーム１２の両面側から、隙間を塞ぐための気密テープ１８Ａ，１８Ｂが設けられる。更に、断熱ボード１６及び気密テープ１８Ａ，１８Ｂが設けられた木製フレーム１２の両面には、遮音シート２０Ａ，２０Ｂと化粧木板２２Ａ，２２Ｂが設けられる。木製断熱ドア１０の内部構造の気密性を高めることで、熱還流率の低いドアがられる。また、表面に化粧木板２２Ａ，２２Ｂを設けることで結露を防止する。【選択図】図１
2014152561.tif 000002
【特許請求の範囲】
【請求項１】
木製フレームと、
該木製フレームの内側の空間に設けられ、前記木製フレームよりも低い熱還流率を有する断熱ボードと、
前記木製フレームと前記断熱ボードとの間の隙間を、前記木製フレームの両面側から塞ぐ気密テープと、
前記断熱ボード及び気密テープが設けられた木製フレームの両面を被覆する遮音シートと、
該遮音シートの上から、前記木製フレームの両面を覆う化粧木板と、
を備えたことを特徴とする木製断熱パネル。
【請求項２】
前記木製フレームは、
外枠と、該外枠の内側の空間を仕切る少なくとも一つ以上の桟により構成されており、
前記桟によって仕切られた複数の空間に前記断熱ボードを設けることを特徴とする請求項１記載の木製断熱パネル。
【請求項３】
前記桟の少なくとも一つが、前記外枠を構成する縦枠又は横枠に対して、斜めに配置されていることを特徴とする請求項２記載の木製断熱パネル。
【請求項４】
前記桟によって仕切られた複数の空間の少なくとも一つに、前記断熱ボード以外の建材を設けるとともに、該建材が表面に露出するように、該建材の表面上を避けて前記遮音シート及び前記化粧木板を設けたことを特徴とする請求項２又は３記載の木製断熱パネル。
【請求項５】
前記断熱ボードの熱還流率（Ｕ値）が、０．０５〜０．０４５を満たすことを特徴とする請求項１〜４のいずれか一項に記載の木製断熱パネル。
【発明の詳細な説明】
【技術分野】
【０００１】
本発明は、玄関ドアや室内壁パネル等として用いられる木製断熱パネルに関し、更に具体的には、断熱効果の向上に関するものである。
【背景技術】
【０００２】
玄関ドアなどに用いられるパネルには、断熱性を確保するために、フレームの内側の空間に断熱材を設ける構造が採用されているものがある。例えば、下記特許文献１には、扉の枠体の前後両面を外装板で覆ってなる扉であって、枠体内に発泡フォームと遮音シートとを積層してなる板状芯材を嵌装し、前後両面の外装板とその間に挟まれた上記枠状芯材とによって層構成とした木製内装用扉が開示されている。当該技術によれば、前記枠体は木製であり、前記板状芯材により断熱性を確保している。
【先行技術文献】
【特許文献】
【０００３】
【特許文献１】特開平８−１３９４３号公報
【発明の概要】
【発明が解決しようとする課題】
【０００４】
しかしながら、前記特許文献１に記載の技術では、板状芯材そのものの断熱性能は、発泡フォームと遮音シートを積層することで実現できるが、構造内の密閉性が低い。すなわち、前記枠体と前記板状芯材の間や、前記板状芯材と外装板の間に隙間が生じ、密閉性が低くなる。このように、扉を構成する材料自体に断熱効果を有するものを用いても、扉の構造内の密閉性が低いため、材料の断熱効果を十分に発揮できないという不都合がある。
【０００５】
本発明は、以上の点に着目したもので、ドアや間仕切りなどに用いられる木製断熱パネルの断熱性能の向上を図ることを、その目的とする。
【課題を解決するための手段】
【０００６】
本発明の木製断熱パネルは、木製フレームと、該木製フレームの内側の空間に設けられ、前記木製フレームよりも低い熱還流率を有する断熱ボードと、前記木製フレームと前記断熱ボードとの間の隙間を、前記木製フレームの両面側から塞ぐ気密テープと、前記断熱ボード及び気密テープが設けられた木製フレームの両面を被覆する遮音シートと、該遮音シートの上から、前記木製フレームの両面を覆う化粧木板と、を備えたことを特徴とする。
【０００７】
主要な形態の一つは、前記木製フレームは、外枠と、該外枠の内側の空間を仕切る少なくとも一つ以上の桟により構成されており、前記桟によって仕切られた複数の空間に前記断熱ボードを設けることを特徴とする。他の形態は、前記桟の少なくとも一つが、前記外枠を構成する縦枠又は横枠に対して、斜めに配置されていることを特徴とする。
【０００８】
更に他の形態は、前記桟によって仕切られた複数の空間の少なくとも一つに、前記断熱ボード以外の建材を設けるとともに、該建材が表面に露出するように、該建材の表面上を避けて前記遮音シート及び前記化粧木板を設けたことを特徴とする。更に他の形態は、前記断熱ボードの熱還流率（Ｕ値）が、０．０５〜０．０４５を満たすことを特徴とする。本発明の前記及び他の目的，特徴，利点は、以下の詳細な説明及び添付図面から明瞭になろう。
【発明の効果】
【０００９】
本発明によれば、木製フレームの内側の空間に、該木製フレームよりも低い熱還流率を有する断熱ボードを設け、前記木製フレームと断熱ボードの隙間を、前記木製フレームの両面側から気密テープで塞ぎ、前記断熱ボード及び気密テープが設けられた木製フレームの両面を遮音シート及び化粧木板で覆うこととした。このため、パネル内の密閉性を高めて、使用材料の断熱性を損なうことなく、断熱効果の高い木製断熱パネルを得ることができる。また、このような木製断熱パネルを建物に用いることで、建物全体の断熱効果を高めることができる。
【図面の簡単な説明】
【００１０】
【図１】本発明の実施例１の木製断熱ドアを示す図であり、(A)は外観斜視図，(B)は分解斜視図である。
【図２】前記実施例１を示す図であり、(A)〜(E)は製造工程を示す平面図，(F)は前記(E)を＃Ａ−＃Ａ線に沿って切断し矢印方向に見た断面図である。
【図３】本発明の他の実施例を示す図である。
【発明を実施するための形態】
【００１１】
以下、本発明を実施するための最良の形態を、実施例に基づいて詳細に説明する。
【実施例１】
【００１２】
最初に、図１及び図２を参照しながら、本発明の実施例１を説明する。本実施例は、本発明の木製断熱パネルをドアに適用した例である。図１(A)は本実施例の木製断熱ドアの外観斜視図，図１(B)は分解斜視図である。図２(A)〜(E)は木製断熱ドアの製造工程を示す平面図，図２(F)は前記(E)を＃Ａ−＃Ａ線に沿って切断し、矢印方向に見た断面図である。
【００１３】
図１(A)に示す木製断熱ドア１０は、例えば、玄関ドアなどとして用いられるもので、ドア枠として、図１(B)に示す木製フレーム１２が用いられている。該木製フレーム１２は、一対の縦枠１２Ａと一対の横枠１２Ｂによって全体として長方形に形成されている。そして、その内側は、複数の縦桟１２Ｃと一つの横桟１２Ｄにより、６つの空間１４に仕切られている。前記木製フレーム１２としては、熱還流率の低い（Ｕ値が２．２４程度）のものが用いられる。例えば、スギなどの天然木ボードなどが用いられる。
【００１４】
前記木製フレーム１２の空間１４の内側には、該空間１４と略同一形状の断熱ボード１６が設けられる。該断熱ボード１６は、前記木製フレーム１２よりも低い熱還流率（Ｕ値が０．０５〜０．０４５程度）を有するものが用いられる。断熱ボード１６としては、例えば、グラスウールボード，ロックウールボード，押出法ポリスチレンフォームボード，発泡プラスチックビーズ法ポリエチレンフォームボードなどが用いられる。
【００１５】
前記断熱ボード１６が空間１４に組み込まれた木製フレーム１２には、前記断熱ボード１６と木製フレーム１２の隙間を塞ぐための気密テープ１８Ａ，１８Ｂが表裏から貼り付けられる。図示の例では、空間１４及び断熱ボード１６の形状に沿って、気密テープ１８Ａ，１８Ｂは、長方形の縁に沿って設けられる。また、前記断熱ボード１６及び気密テープ１８Ａ，１８Ｂが設けられた木製フレーム１２の表裏には、ほぼ全面を覆う遮音シート２０Ａ，２０Ｂが設けられ、更にその上から、表裏に化粧木板２２Ａ，２２Ｂが設けられている。
【００１６】
次に、図２も参照しながら本実施例の製造方法の一例を説明する。図２(A)〜(E)には、図１(B)の木製フレーム１２の左上の空間１４の部分のみが示されているが、他の空間１４についても同様の作業が行われる。まず、図１(B)に示す木製フレーム１２を予め組み立てておく。そして、図２(A)に示すように、前記空間１４に、断熱ボード１６を組み込む。この際、後の工程で気密テープ１８Ａ，１８Ｂを設けるため、必ずしも行う必要はないが、図２(A)に示すように、断熱ボード１６の周囲に接着剤（ないし木工用ボンド）２６を塗布してから空間１４に組み込み、木製フレーム１２との隙間をより確実に塞ぐよう、かつ、断熱ボード１６がずれないよう組み込んでもよい。図２(B)には、断熱ボード１６を木製フレーム１２に組み込んだ状態が示されている。
【００１７】
次に、図２(C)に示すように、木製フレーム１２と断熱ボード１６の隙間を塞ぐように、前記空間１４の縁１５に沿って、気密テープ１８Ａを貼り付ける。図２(C)は木製断熱ドア１０の一方の主面側のみを示しているが、他方の主面側においても同様に、気密テープ１８Ｂが貼り付けられる。次に、前記断熱ボード１６及び気密テープ１８Ａ，１８Ｂが設けられた木製フレーム１２の表裏面の全体を、遮音シート２０Ａ，２０Ｂで覆う。遮音シート２０Ａ，２０Ｂは、図示しない接着剤等により貼り付けられる。あるいは、接着層付の遮音シートを用いるようにしてもよい。
【００１８】
そして、前記遮音シート２０Ａ，２０Ｂの上から、化粧木板２２Ａ，２２Ｂを図示しないプレス機を用いて、密着するように貼り付ける。該化粧木板２２Ａ，２２Ｂの貼付も、図示しない接着剤等により行われる。最後に、図１(A)に示す取手２４Ａ，２４Ｂを取り付ける。このようにして作成された木製断熱ドア１０は、図２(F)に示すような積層構造となっており、内部構造の気密性が高い。そして、ドア全体として低い熱還流率（Ｕ値＝１．５以下）が得られる。
【００１９】
このように、実施例１によれば、木製フレーム１２の内側の空間１４に、該木製フレーム１２よりも低い熱還流率を有する断熱ボード１６を設け、前記木製フレーム１２と断熱ボード１６の隙間を、前記木製フレーム１２の両面側から気密テープ１８Ａ，１８Ｂで塞ぐ。そして、前記断熱ボード１６及び気密テープ１８Ａ，１８Ｂが設けられた木製フレーム１２の両面を遮音シート２０Ａ，２０Ｂ及び化粧木板２２Ａ，２２Ｂで覆うこととしたので、ドア内の密閉性を高めて隙間風を防ぎ、使用材料の断熱性を損なうことがない。このため、軽量で断熱効果が高く、更に遮音性にも優れた木製断熱ドア１０を得ることができる。また、表面に化粧木板２２Ａ，２２Ｂを用いているため、結露を防ぐことができる。更に、このような木製断熱ドア１０を建物の要所に用いることで、建物全体の断熱効果を高めることができる。
【００２０】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。
【００２１】
(2)前記実施例で示した断熱ボード１６の素材も一例であり、パネル全体として一定値以下の熱還流率を得ることができれば、他の公知の各種の断熱ボードを利用することを妨げるものではない。また、化粧木板２２Ａ，２２Ｂとして、不燃材を含浸させたものをパネル表面に用いることにより、耐火性能を付与するようにしてもよい。
(3)本発明で用いる遮音シートとしては、公知の各種のものが使用可能であるが、例えば、耐火性能を有する素材（ダイライトなどの不燃素材）を用いると、パネルの耐火性を高めることができる。
【００２２】
(4)前記実施例で示した木製フレーム１２の内側の仕切方も一例である。例えば、全く仕切りがない構造としてもよいし、図３(B)に示す木製フレーム３０´のように、縦枠３０Ａと横枠３０Ｂからなるフレームの内側を、縦桟３０Ｃと複数の横桟３０Ｄにより多数の空間に仕切り、各空間に断熱ボード１６Ｂを組み込むようにしてもよい。しかしながら、図３(B)に示す例のように、内側の桟が増えると、その分、木の面積が増えるため、断熱ボード１６Ｂの占める面積が減り、パネル全体としての熱還流率が上がってしまう。従って、断熱性能を高く保つためには、大きく仕切って木の部分を減らすことが効果的であるが、その反面、強度が不足しがちである。そこで、図３(A)に示す木製フレーム３０のように、縦枠３０Ａと横枠３０Ｂにより形成される空間を、まず、縦桟３０Ｃと横桟３０Ｄにより４つに仕切り、更に、これらの部分を、斜桟３０Ｅによって仕切る構造にする。そして、形成された三角形の空間に、略同一形状の断熱ボード１６Ａを組み込む。このように斜桟３０Ｅを用いる構造とすることにより、木の占有面積を減らして断熱効果を高めながら、強度の維持も可能となる。
(5)前記実施例で用いた化粧木板２２Ａ，２２Ｂは、パネルの用途に合せて色調や模様などを適宜変更してよい。取手２４Ａ，２４Ｂの形状，材質，寸法についても同様である。
(6)前記実施例では、木製フレーム１２の内側の複数の空間の全てに断熱ボード１６を組み込むこととしたが、これも一例であり、例えば、図３(C)に示す木製断熱ドア５０のように、内部の複数の空間１４のうちの一つ（図示の例では上段中央）に、ガラス板５２などを組み込むようにしてもよい。この場合、前記遮音シート２０Ａ，２０Ｂや化粧木板２２Ａ，２２Ｂは、前記ガラス板５２が隠れないように、その部分を避けて設けるようにする。むろん、ガラス板５２を設ける位置は必要に応じて変更してよいし、２箇所以上に設けるようにしてもよい。また、ガラス板５２以外の建材を空間１４に組み込むようにしてもよい。
【００２３】
(7)前記実施例で示した製造工程も一例であり、同様の効果を奏するように適宜変更してよい。例えば、前記実施例では、断熱ボード１６の周囲に接着剤２６を設けて木製フレーム１２の空間に組み込み、接着剤で接着固定を行うこととしたが、これも一例であり、断熱ボードの形状や大きさ等に応じて、必要に応じて行うようにすればよい。
(8)前記実施例では、本発明を玄関ドアなどに用いられる木製断熱ドアに適用することとしたが、これも一例であり、本発明の木製断熱パネルは、間仕切りパネルやパーテーション，壁，クローゼットの扉等としても利用可能である。また、室内と屋外の仕切部分のドアとしてだけでなく、屋内に設けられる各種ドアとしても利用可能である。
【産業上の利用可能性】
【００２４】
本発明によれば、木製フレームの内側の空間に、該木製フレームよりも低い熱還流率を有する断熱ボードを設け、前記木製フレームと断熱ボードの隙間を、前記木製フレームの両面側から気密テープで塞ぎ、前記断熱ボード及び気密テープが設けられた木製フレームの両面を遮音シート及び化粧木板で覆うこととした。このため、パネル内の密閉性を高めて、使用材料の断熱性能を十分に活かすことができるため、木製断熱パネルの用途に適用できる。特に、玄関ドアや間仕切りなどの用途に好適である。
【符号の説明】
【００２５】
１０：木製断熱ドア
１２：木製フレーム
１２Ａ：縦枠
１２Ｂ：横枠
１２Ｃ：縦桟
１２Ｄ：横桟
１４：空間
１５：縁
１６，１６Ａ，１６Ｂ：断熱ボード
１８Ａ，１８Ｂ：気密テープ
２０Ａ，２０Ｂ：遮音シート
２２Ａ，２２Ｂ：化粧木板
２４Ａ，２４Ｂ：取手
２６：接着剤
３０，３０´：木製フレーム
３０Ａ：縦枠
３０Ｂ：横枠
３０Ｃ：縦桟
３０Ｄ：横桟
３０Ｅ：斜桟
５０：木製断熱ドア
５２：ガラス板
【図１】
2014152561.tif 000003
【図２】
2014152561.tif 000004
【図３】
2014152561.tif 000005